(57)【要約】【課題】安全の点検済み等を容易に確認表示し得る確認表示板の提供。【解決手段】板状体１の表面に設けられ、確認事項を表示する多数の確認事項表示エリア４と、各確認事項表示エリアに近接して配置され、メインスイッチ５のＯＮ操作によって点灯する確認ランプ７と、各確認表示エリアに隣接して配置され、確認ランプを個別に消灯する確認スイッチ８とを備える。【選択図】図１
2005250425.tif 000002
【特許請求の範囲】
【請求項１】
板状体の表面に設けられ、確認事項を表示する多数の確認事項表示エリアと、各確認事項表示エリアに近接して配置され、メインスイッチのＯＮ操作によって点灯する確認ランプと、各確認事項表示エリアに隣接して配置され、確認ランプを個別に消灯する確認スイッチとを備えることを特徴とする確認表示板。
【請求項２】
前記各確認事項表示エリアに対応させて板状体の裏面又は表面に設けられ、メインスイッチのＯＮ操作による確認ランプの点灯を個別に停止する点灯停止スイッチを備えることを特徴とする請求項１記載の確認表示板。
【発明の詳細な説明】
【技術分野】
【０００１】  本発明は、防火、防犯に対する安全の点検済み、学習の進行度の点検結果、作業の進捗状況の点検結果等を確認表示する確認表示板に関する。
【背景技術】
【０００２】  近年、台所やストーブ等のガス栓の切り忘れ、あるいはアイロンやストーブ等のスイッチの切り忘れによる火災、又は戸締り忘れによる盗難等が頻発している。【０００３】  ガス栓の切り忘れ等を予防する手段としては、指差し点検等を行う人もいるが、点検箇所が多数の場合、高齢者であると先の点検箇所を忘れてしまい、何度も点検を繰り返す破目になることがある。
従来、安全の点検済み等を確認表示するものとしては、チェックシート等があるが、その作成が面倒であると共に、チェックに筆記具等を用いなければならない煩しさがある。
【発明の開示】
【発明が解決しようとする課題】
【０００４】  本発明は、安全の点検済み等を容易に確認表示し得る確認表示板を提供することを課題とする。
【課題を解決するための手段】
【０００５】  本発明の第１の確認表示板は、板状体の表面に設けられ、確認事項を表示する多数の確認事項表示エリアと、各確認事項表示エリアに近接して配置され、メインスイッチのＯＮ操作によって点灯する確認ランプと、各確認事項表示エリアに隣接して配置され、確認ランプを個別に消灯する確認スイッチとを備えることを特徴とする。【０００６】  又、第２の確認表示板は、第１のものにおいて、前記各確認事項表示エリアに対応させて板状体の裏面又は表面に設けられ、メインスイッチのＯＮ操作による確認ランプの点灯を個別に停止する点灯停止スイッチを備えることを特徴とする。
【発明の効果】
【０００７】  本発明の第１の確認表示板によれば、メインスイッチをＯＮ操作した後、安全の点検済み等と対応する確認項目の確認スイッチを操作することにより、確認ランプが消灯する一方、確認スイッチが未操作の確認ランプが点灯状態を維持するので、安全点検済み等を極めて容易に確認表示することができる。【０００８】  又、第２の確認表示板によれば、第１のものによる作用効果の他、不要の確認ランプのメインスイッチのＯＮ操作による点灯を予め停止することができるので、確認事項数の増減に容易に対処することができる。
【発明を実施するための最良の形態】
【０００９】  板状体は、携行できる大きさ、又は壁面に掛止若しくは卓上に載せ得る大きさが好ましい。
板状体は、剛性のもの又は可撓性のもののいずれでもよい。
又、板状体は、方形、円形、楕円形、その他の多角形、又は各種動植物の形状のもののいずれでもよい。【００１０】  確認事項表示エリアにおける確認事項の表示は、書き替え可能に直に書き込む方式でもよく、あるいは確認事項を書き替え可能に記入したカードを差し込む方式でもよい。
確認事項表示エリアの配置は、格子状、円形状、楕円形状、その他の任意の形状の配置でよい。
確認事項としての防火に対する安全の点検済みの例としては、台所、風呂、ストーブ等のガス器具の消火、石油ストーブの消火、照明、トースター、アイロン、ストーブ、クーラー、ヘアドライヤー等の電気器具のスイッチＯＦＦ等が挙げられ、防犯に対する安全の点検済みの例としては、戸締り、防犯カメラのスイッチＯＮ等が挙げられる。【００１１】  確認ランプとしては、白色、有色のいずれでもよく、又、フィラメントランプ若しくは発光ダイオードのいずれでもよい。
又、確認ランプの設置は、確認事項表示エリアを側方から照らすように板状体の表面に突設してもよく、あるいは確認事項表示エリアを裏面側から照らすように板状体に埋設してもよい。【００１２】  確認スイッチは、メインスイッチのＯＦＦ操作によって自動的に回路を閉じるように構成することが好ましい。【００１３】  確認ランプの電源としては、乾電池（充電式電池を含む）及び／又は光電池が好ましい。【００１４】  又、配線としては、リード配線及び／又はプリント配線が用いられる。
【実施例１】
【００１５】  図１、図２及び図３は、それぞれ本発明に係る確認表示板の実施例１を示す表面図、裏面図及び電気回路図である。【００１６】  図中１は、合成樹脂からなる中空方形板状の板状体で、その上部には、板状体１を壁面等に掛止すべく、壁等に突設される掛止具と係合する係合孔２を設けた掛止片３が突設されている。
板状体１の表面には、確認事項を表示する多数の確認事項表示エリア４が格子状に配置して設けられている一方、板状体１には、メインスイッチ５のＯＮ操作による直流電源６（図３参照）からの給電によって点灯し、各確認事項表示エリア４を裏面側から個別に照らす確認ランプ７（図３参照）が埋設されている。
又、板状体１の表面には、メインスイッチ５のＯＮ操作によって点灯した各確認ランプ７を個別に消灯する確認スイッチ８が各確認事項表示エリア４に隣接して配置されており、この確認スイッチ８は、メインスイッチ５のＯＦＦ操作によって自動的に回路を閉じるように設けられているものである。
そして、板状体１の裏面には、確認事項数の増減に容易に対処し得るように、メインスイッチ５のＯＮ操作による確認ランプ７の点灯を予め個別に停止する点灯停止スイッチ９が各確認事項表示エリア４に対応させて設けられている。
図２において１０は、直流電源６となる乾電池を収容する電源収容スペースである。【００１７】  上述した構成の確認表示板を用いて、例えば、防火に対する安全の点検済みを確認表示するには、先ず、確認事項表示エリア４に安全の点検事項を表示しておく。
次に、メインスイッチ５をＯＮ操作し、確認ランプ７を点灯させる。
この際、不要の確認ランプ７は、点灯停止スイッチ９を操作して予め点灯しないようにしておく。
次いで、安全の点検が済んだら、対応する確認スイッチ８を操作すると、該当する確認ランプ７が消灯する。
このようにして、次々と確認ランプ７を消灯し、全ての確認ランプ７が消灯すると確認表示が終了する。
したがって、同じ点検を繰り返すおそれは全くなくなる。【００１８】  なお、上述した実施例１では、点灯停止スイッチ９を裏面に設ける場合について説明したが、これに限定されるものではなく、表面に設けるようにしてもよく、又、確認事項数の増減が無いような場合は、点灯停止スイッチ９を設けなくてもよい。
【図面の簡単な説明】
【００１９】
【図１】本発明に係る確認表示板の実施例１を示す表面図である。
【図２】図１の確認表示板の裏面図である。
【図３】図１の確認表示板の電気回路図である。
【符号の説明】
【００２０】１      板状体
４      確認事項表示エリア
５      メインスイッチ
７      確認ランプ
８      確認スイッチ
９      点灯停止スイッチ
【図１】
2005250425.tif 000003
【図２】
2005250425.tif 000004
【図３】
2005250425.tif 000005